(57)【要約】【課題】液体容器を、完全密封可能としつつも、サーバ本体に確実に装着可能とする。【解決手段】液体を貯留する容器１に設けられ、サーバコネクタ４と接続される容器コネクタ１１と、容器コネクタ１１内に配設される開封部材２１とを備える。開封部材２１は、容器コネクタ１１内を容器１側に押し込まれると、開封部材２１の先端部で容器１の一部を打ち抜き、容器１内部とサーバコネクタ４とを連通する。【選択図】図１
2015037960.tif 000002
【特許請求の範囲】
【請求項１】
液体を貯留する液体容器に設けられ、サーバコネクタと接続される容器コネクタと、
上記容器コネクタ内に配設される開封部材とを備え、
上記開封部材は、上記容器コネクタ内を上記液体容器側に押し込まれると、上記開封部材の先端部で上記液体容器の一部又は容器コネクタの底部を打ち抜き、上記容器内部と上記サーバコネクタとを連通することを特徴とする液体容器の開封機構。
【請求項２】
上記開封部材は、上記液体容器に挿入される筒状部と、上記筒状部に形成され、上記液体容器内部と上記サーバコネクタとを連通する連通部とを有することを特徴とする請求項１記載の液体容器の開封機構。
【請求項３】
上記筒状部は、先端部に、上記液体容器の一部又は上記容器コネクタの底部を打ち抜く刃部が形成されていることを特徴とする請求項２記載の液体容器の開封機構。
【請求項４】
上記刃部又は上記筒状部の先端部には、欠刃部を有し、
上記欠刃部は、上記刃部が上記液体容器の一部又は上記容器コネクタの底部を打ち抜いたとき、該打ち抜いた打抜部と上記液体容器又は上記容器コネクタとを連結する連結部を形成することを特徴とする請求項３記載の液体容器の開封機構。
【請求項５】
上記筒状部の先端部は、上記液体容器の一部又は上記容器コネクタの底部を打ち抜く際の応力集中部を有することを特徴とする請求項２−４の何れか記載の液体容器の開封機構。
【請求項６】
上記開封部材は、突部が形成され、
上記コネクタの内面には、上記突部と係止されて、上記開封部材の押し込み量を規制するストッパが形成されていることを特徴とする請求項１−５の何れか記載の液体容器の開封機構。
【請求項７】
上記開封部材と上記容器コネクタとの互いに相対する二つの面には、一方の面に、他方の面に圧接される封止部が形成されていることを特徴とする請求項１−６の何れか記載の液体容器の開封機構。
【請求項８】
上記容器コネクタは、底面が開口した筒状を成し、上記液体容器の表面に設けられ、上記液体容器の一部が上記打抜部となることを特徴とする請求項１−７の何れか記載の液体容器の開封機構。
【請求項９】
上記容器コネクタは、有底筒状を成し、上記液体容器の口部に嵌合され、底部が上記液体容器内に位置し上記打抜部となることを特徴とする請求項１−７の何れか記載の液体容器の開封機構。
【請求項１０】
上記容器コネクタと上記開封部材とは、別部材であることを特徴とする請求項１−９の何れか記載の液体容器の開封機構。
【請求項１１】
上記容器コネクタの内面と上記開封部材とが、ブリッジ部によって一体的に連結されていることを特徴とする請求項１−９の何れか記載の液体容器の開封機構。
【請求項１２】
上記筒状部の開口端には、タンパーエビデンスフィルムが設けられていることを特徴とする請求項１−１１の何れか記載の液体容器の開封機構。
【請求項１３】
上記容器コネクタは、上記液体容器のネック部に嵌合されていることを特徴とする請求項１−１２の何れか記載の液体容器の開封機構。
【請求項１４】
上記サーバコネクタは、上記開封部材の筒状部に嵌合したとき、上記連通部と連通し、サーバ本体に液体を取り込む取込開口部が形成されていることを特徴とする請求項１−１３の何れか記載の液体容器の開封機構。
【請求項１５】
上記サーバコネクタは、サーバ本体に液体を取り込む取込開口部を有する筒状部と、該筒状部に摺動可能に設けられたシャッタ部と、該シャッタ部が該取込開口を覆うように付勢する付勢部とを有していることを特徴とする請求項１−１４の何れか記載の液体容器の開封機構。
【発明の詳細な説明】
【技術分野】
【０００１】
本発明は、ウォータサーバ等の給液装置に装着される液体容器の開封機構に関する。
【背景技術】
【０００２】
ウォータサーバ等の給液装置では、ミネラルウォータ等の液体を貯留した液体容器がサーバ本体の例えば上部等に装着されることが多い。この種の給液装置は、液体容器の装着部に、サーバコネクタが設けられている。このサーバコネクタは、例えば、全体がピン状を成し、周囲に、液体容器から液体を取り込む取込開口部が形成されている。給液装置は、液体容器が装着部に配設された際、サーバコネクタが液体容器の所定の接続位置に突き刺さることで、取込開口部から液体容器内に収納された液体を取り込む。
【０００３】
ところで、液体容器を給液装置の装着部に装着するに際しては、液体容器のサーバコネクタが突き刺さる接続位置とサーバコネクタとの位置を位置合わせする必要がある。サーバコネクタと液体容器の接続位置とがずれた場合には、液体容器とサーバコネクタとの間に隙間が出来、漏水等の原因となってしまう。
【０００４】
しかしながら、一般に、液体容器の装着位置は、サーバの上部にあり、装着しづらい位置にある。また、液体容器を装着する際には、液体容器は液体が満水の状態であり、非常に重い。従って、正確に、液体容器の接続位置とサーバコネクタの位置を合わせることは、ユーザにとって困難である。
【０００５】
例えば、ＢＩＢ（バッグインボックス）のように、液体容器が可撓性を有するときには、液体容器が撓むため、接続位置も確定しにくい。従って、サーバコネクタを液体容器の接続位置に突き刺すことは困難となる。また、接続位置にサーバコネクタを接続出来なかったときには、液体が漏れてしまう。また、液体容器がハードボトルの場合にも、サーバコネクタが液体容器の接続位置以外の位置に当たると、サーバコネクタが損傷したり、隙間が出来ることで、液体が漏れてしまう。
【先行技術文献】
【特許文献】
【０００６】
【特許文献１】特開２０１１−１０２１４６号公報
【特許文献２】特開２０１０−２６９８２９号公報
【発明の概要】
【発明が解決しようとする課題】
【０００７】
本発明は、以上のような課題に鑑みてなされたものであり、液体容器を、サーバ本体に確実に装着することが出来る液体容器の開封機構を提供することを目的とする。
【課題を解決するための手段】
【０００８】
本発明に係る液体容器の開封機構は、液体を貯留する液体容器に設けられ、サーバコネクタと接続される容器コネクタと、上記容器コネクタ内に配設される開封部材とを備える。上記開封部材は、上記容器コネクタ内を上記液体容器側に押し込まれると、上記開封部材の先端部で上記液体容器の一部又は容器コネクタの底部を打ち抜き、上記容器内部と上記サーバコネクタとを連通する。
【０００９】
上記開封部材は、上記液体容器に挿入される筒状部と、上記筒状部に形成され、上記液体容器内部と上記サーバコネクタとを連通する連通部とを有するようにしても良い。
【００１０】
上記筒状部は、先端部に、上記液体容器の一部又は上記容器コネクタの底部を打ち抜く刃部を形成することが出来る。上記刃部又は上記筒状部の先端部には、欠刃部を設けるようにしても良い。この場合、上記欠刃部は、上記刃部が上記液体容器の一部又は上記容器コネクタの底部を打ち抜いたとき、該打ち抜いた打抜部と上記液体容器又は上記容器コネクタとを連結する連結部を形成する。
【００１１】
上記筒状部の先端部には、上記液体容器の一部又は上記容器コネクタの底部を打ち抜く際の応力集中部を形成することも出来る。
【００１２】
上記開封部材は、突部を形成し、上記コネクタの内面には、上記突部と係止されて、上記開封部材の押し込み量を規制するストッパを形成するようにしても良い。
【００１３】
また、上記開封部材と上記容器コネクタとの互いに相対する二つの面には、一方の面に、他方の面に圧接される封止部を形成するようにしても良い。
【００１４】
上記容器コネクタは、底面が開口した筒状を成し、上記液体容器の表面に設けられ、上記液体容器の一部が上記打抜部とすることが出来る。また、上記容器コネクタは、有底筒状を成し、上記液体容器の口部に嵌合され、底部が上記液体容器内に位置し上記打抜部とすることも出来る。上記容器コネクタと上記開封部材とは、別部材であっても良いし、上記容器コネクタの内面と上記開封部材とが、ブリッジ部によって一体的に連結されていても良い。
【００１５】
上記筒状部の開口端には、タンパーエビデンスフィルムを設けるようにしても良い。
【００１６】
上記容器コネクタは、上記液体容器のネック部に嵌合されているようにしても良い。
【００１７】
上記サーバコネクタは、上記開封部材の筒状部に嵌合したとき、上記連通部と連通し、サーバ本体に液体を取り込む取込開口部を形成することが出来る。
【００１８】
上記サーバコネクタは、サーバ本体に液体を取り込む取込開口部を有する筒状部と、該筒状部に摺動可能に設けられたシャッタ部と、該シャッタ部が該取込開口を覆うように付勢する付勢部とを有するようにしても良い。
【発明の効果】
【００１９】
本発明によれば、容器コネクタの筒状のコネクタ部の内周面がサーバコネクタの挿入ガイド部として機能することから、サーバコネクタが誤って容器コネクタの外側に衝突し、サーバコネクタが破損したり、容器が破損し漏液することを防止することが出来る。すなわち、本発明は、液体が満杯に入った重い容器を、容易に正しくウォータサーバの装着部に装着することが出来る。更に、液体容器を完全に密封した状態であっても装着の際に容易且つ正確に開封することが可能であり、この際、ウォータサーバの装着部のサーバは鋭利に形成する必要がなく安全である。また、液体容器は、完全密閉状態なので、内圧の高まりや横到した状態での保管・下向きであっても漏水を防止することが出来る。
【図面の簡単な説明】
【００２０】
【図１】本発明が適用された容器の開封機構を示す断面図である。
【図２】容器コネクタと開封部材の断面図である。
【図３】開封部材が容器を開封した状態を示す断面図である。
【図４】（Ａ）は容器コネクタがキャップによって閉塞された状態を示す断面図であり、（Ｂ）はタンパーエビデンスフィルムが貼られた状態を示す断面図である。
【図５】開封部材の筒状部にスリットと欠刃部が設けられた変形例を示す斜視図である。
【図６】図５の開封部材によって容器が開封された状態を示す断面図である。
【図７】（Ａ）−（Ｈ）は、開封部材の変形例を示す斜視図である。
【図８】容器コネクタの開封部材の押し込み量を規制するストッパがコネクタ部の先端外周部に設けられた変形例を示す断面図である。
【図９】図８の変形例で開封部材が容器を開封した状態を示す断面図である。
【図１０】容器コネクタを容器の孔部に取り付けた状態を示す断面図である。
【図１１】図１０の開封機構の開封部材が容器を開封した状態を示す断面図である。
【図１２】開封部材に突部を設け、容器コネクタにストッパを設けた開封機構の断面図である。
【図１３】図１２の変形例で開封部材が容器を開封した状態を示す断面図である。
【図１４】容器コネクタと開封部材とをブリッジ部で連結した開封機構の断面図である。
【図１５】図１４の開封機構の開封部材が容器を開封した状態を示す断面図である。
【図１６】容器をウォータサーバの装着部から取り外された後再度装着可能な開封機構の断面図である。
【図１７】図１６に示す開封機構がウォータサーバの装着部に装着された状態を示す断面図である。
【図１８】ウォータサーバの装着部から再度容器が取り外されたときの開封機構の状態を示す断面図である。
【図１９】容器のネック部に嵌合されて取り付けられる開封機構を示した断面図である。
【図２０】容器コネクタを示した断面図である。
【図２１】開封部材を示した断面図である。
【図２２】図１９に示す開封機構の斜視図である。
【図２３】（Ａ）は、サーバコネクタの取込開口が露出された状態を示した斜視図であり、（Ｂ）は、サーバコネクタの取込開口が覆われた状態を示した斜視図である。
【図２４】図１９に示す開封機構の開封部材内にサーバコネクタのシャッタ部が差し込まれた状態を示した断面図である。
【図２５】図１９に示す開封機構がサーバコネクタの基端側に移動されて、開封部材内でサーバコネクタの取込開口が露出された状態を示した断面図である。
【図２６】図１９に示す開封機構が、刃部で容器コネクタの底部の打抜部を打ち抜いた状態を示した断面図である。
【図２７】図１９に示す開封機構がサーバコネクタの先端側に移動されて、開封部材がコネクタ部内に収納された状態を示した断面図である。
【図２８】図１９に示す開封機構がサーバコネクタの先端側に移動されて、開封部材内でサーバコネクタの取込開口が覆われた状態を示した断面図である。
【図２９】図１９に示す開封機構がサーバコネクタの先端側に移動されて、サーバコネクタのシャッタ部が開封部材内から取り出された状態を示した断面図である。
【発明を実施するための形態】
【００２１】
［第一実施形態］
図１−図３に示すように、本発明が適用された容器の開封機構１０は、給液装置であるウォータサーバに装着される容器１に設けられる。この容器１は、例えばポリプロピレン、ポリエチレン、ポリアミド（ナイロン）、ポリエチレンテレフタレート等の合成樹脂材料で構成された容量が可変の可撓性容器や、或いは、例えば合成樹脂材料をブロー成形等によって成形して成る容量が可変でないハード容器が用いられる。なお、合成樹脂材料を構成する際、容器１内の収容物である水等に、当該合成樹脂材料からの臭い移りを防止するため、可塑剤やスリップ剤を混入しない或いは低減したものを使用しても良い。開封機構１０は、容器１のウォータサーバの装着部に装着される部分２に設けられる。このような容器１には、液体として、水、ミネラルウォータ等の他に、ジュース、コーヒー、紅茶、スープ等の液体の他、ゲル状乃至スラリー状の流動体や砂糖や塩等の砂状流動体、米粒等の粉粒状の流動体等を収容することが出来る。
【００２２】
この開封機構１０は、容器１のウォータサーバの装着部に装着される部分２に設けられる容器コネクタ１１と、容器コネクタ１１内に配設される開封部材２１とを備えている。
【００２３】
容器コネクタ１１は、両端が開口された筒状を成すコネクタ部１２の基端部に、容器１のウォータサーバの装着部に装着される部分２に固定するための取付部１３が外側に張り出して形成されている。筒状のコネクタ部１２の内側は、開封部材２１が挿入されると共に、ウォータサーバ側のピン状を成すサーバコネクタ４が挿入される空間部となる。なお、コネクタ部１２の筒形状は、円筒状の他、横断面が三角形状のものや四角形状のもの等、多角形状のものであっても良く、また、錐形状やロート状の形状に構成することも可能である。
【００２４】
取付部１３は、容器１のウォータサーバの装着部に装着される部分２に、接着剤、溶着等によって固定されている。また、容器１のウォータサーバの装着部に装着される部分２のコネクタ部１２内に臨む部分は、開封部材２１によって打ち抜かれる打抜部１４となる。この打抜部１４は、開封部材２１で打ち抜き易くするため、例えば、打抜部１４の全体を容器１の他の部分より薄肉に形成し、強度を弱くしても良い。また、打抜部１４の周囲のみを薄肉にしても同様の効果を得ることが出来る。打抜部１４は、コネクタ部１２に包囲され保護された領域であるため、薄肉にしても、異物が衝突して損傷し漏水するおそれもないからである。
【００２５】
図４（Ａ）に示すように、コネクタ部１２の先端側外周部には、ユーザの使い易さを考慮してポリプロピレン、ポリエチレン等の柔らかめの合成樹脂で成形されたキャップ３を取り付けるためのキャップ溝１５が螺旋状に形成されている。キャップ３は、容器１の運搬時との使用前の状態において、コネクタ部１２のキャップ溝１５に締め付けられて固定されることで、コネクタ部１２の内部を保護すると共に、衛生状態を維持する。なお、キャップ溝１５は、キャップ３を使用しない場合には設けなくても良い。また、このキャップ３は、密封された状態から手を加えられたことが明確に分かるようにした周知のタンパーエビデンス構造を有していても良い。タンパーエビデンス機能を付与するには、図４（Ｂ）に示すように、容器コネクタ１１のコネクタ部１２の先端部に、フィルム６を貼着するようにすれば良い。
【００２６】
また、コネクタ部１２の基端側の内側には、図１−図３に示すように、開封部材２１が容器１の打抜部１４を打ち抜いた際に、開封部材２１が容器１の内部に落ちないようにするストッパ１６が形成されている。ストッパ１６は、コネクタ部１２の内周面に中心側に張り出すようにして、連続又は断続的に形成され、押し込まれた開封部材２１の突部２５が係止される。ストッパ１６の内側は、打抜部１４を露出する露出口１７となっている。ストッパ１６の厚さによって構成される露出口１７の端面は、開封部材２１の筒状部２２の先端部が圧入され開封部材２１を保持する保持部としても機能する。なお、ストッパ１６は、サーバコネクタ４による押し込み量が他の手段によって制御されているときには、設けないようにしても良い。
【００２７】
以上のような容器コネクタ１１は、容器１のウォータサーバの装着部に装着される部分２に突出するように取り付けられ、更に、その内部には、開封部材２１が挿入される。この開封部材２１は、例えば、ポリリプロピレン、ポリエチレン、ポリエチレンテレフタレート（ＰＥＴ）等の合成樹脂で成形され、容器コネクタ１１と別部材となっている。この開封部材２１は、容器１の打抜部１４を打ち抜いたとき容器１の内部に挿入される筒状部２２と、容器１の打抜部１４を打ち抜く刃部２３と、ウォータサーバのサーバコネクタ４と連通する連通部２４とを有している。
【００２８】
筒状部２２は、図１に示すように、容器コネクタ１１のコネクタ部１２の基端部に形成されたストッパ１６の内側に形成された露出口１７とほぼ同じ直径に形成されており、その先端部は、露出口１７に圧入され保持される。筒状部２２の先端部は、筒状部２２の厚さが厚さ方向に漸次薄くなるような先鋭を成し、刃部２３となっている。刃部２３は、容器１の使用前、露出口１７に圧入され保持されていることで、容器コネクタ１１のコネクタ部１２の内部で位置ずれを生じることが防止されている。刃部２３は、開封部材２１がサーバコネクタ４等によって押されると、打抜部１４側に移動し、容器１の打抜部１４を打ち抜く。なお、単に、打抜部１４を押圧力で打ち抜くときには、先鋭の刃部２３を必ずしも設ける必要は無い。また、筒状部２２の厚さが薄いときには、特に刃部２３を不要にすることも出来る。
【００２９】
筒状部２２は、両端部が開口されており、その内部が容器１の内部とサーバコネクタ４とを連通させる連通部２４となる。また、筒状部２２の刃部２３とは反対側の基端部には、外側に張り出して突部２５が連続又は断続的に形成されている。突部２５は、開封部材２１がサーバコネクタ４によって押され容器コネクタ１１のコネクタ部１２内を容器１側に移動したとき、ストッパ１６に係止され、開封部材２１の押し込み量を規制し、開封部材２１が容器１内に落ちないようにする。突部２５の外径は、サーバコネクタ４が開封部材２１を押圧する押圧力を小さくする観点からはコネクタ部１２の内径より小さくし、容器コネクタ１１のコネクタ部１２の内周面との摩擦抵抗を小さくすることが好ましい。一方で、突部２５の外径は、サーバコネクタ４と容器１との結合構造における水密性を向上させる観点からはコネクタ部１２の内径とほぼ同じにして、突部２５の先端面がコネクタ部１２の内周面に圧接されるようにすることが良い。更に、突部２５の先端面がコネクタ部１２の内周面に圧接されているときには、筒状部２２の先端部が露出口１７に圧入されていなくても良い。
【００３０】
以上のような開封機構１０を組み立てるに当たっては、容器コネクタ１１のコネクタ部１２の先端側から開封部材２１が刃部２３を挿入端として、刃部２３が露出口１７に圧入保持されるまで挿入される。開封部材２１が容器コネクタ１１に挿入されると、容器コネクタ１１の取付部１３は、容器１のウォータサーバの装着部に装着される部分２に、接着剤、溶着等によって固定される。なお、キャップ３は、容器コネクタ１１を容器１に固定する前又は後に、コネクタ部１２のキャップ溝１５に締め込みや圧入等によって取り付けられる。なお、組立手順は、この順に限定されるものではない。
【００３１】
次に、開封機構１０の使用方法について説明すると、先ず、容器コネクタ１１からは、キャップ３が取り外され、コネクタ部１２が露出され、容器コネクタ１１は、ピン状を成すサーバコネクタ４と位置合わせがされ、図３に示すように、筒状のコネクタ部１２内に差し込まれる。すなわち、コネクタ部１２は、サーバコネクタ４を差し込むに際しての挿入ガイド部として機能する。ここで、サーバコネクタ４は、内部に通水路５が形成された筒状のものであり、容器コネクタ１１の筒状のコネクタ部１２に挿入可能な太さであって、更に、開封部材２１の筒状部２２に圧入される太さ、又は、筒状部２２の内径より太く突部２５に突き当たる太さとされている。これにより、サーバコネクタ４は、容器コネクタ１１のコネクタ部１２内で結合された際に、サーバコネクタ４と開封部材２１の間に隙間が形成されてしまい漏水が発生することを防止している。なお、サーバコネクタ４は、先端を先鋭にして、先端に通水路５と連通する開口部を一又は複数設けて、開封部材２１の筒状部２２に係合する構成としても良い。このようなサーバコネクタ４によっても、開封部材２１を押圧することが出来る。
【００３２】
容器１の自重やユーザの操作等によって容器コネクタ１１内の開封部材２１がサーバコネクタ４によって押圧されると、図３に示すように、開封部材２１は、容器コネクタ１１のコネクタ部１２内を、容器１の打抜部１４の方向に移動し、刃部２３で打抜部１４を打ち抜く。これに連続して、開封部材２１は、突部２５が筒状のコネクタ部１２内のストッパ１６に係止されるまで押し込まれる。これにより、開封部材２１の筒状部２２の少なくとも一部は、容器１内に位置し、筒状部２２の連通部２４は、突部２５に圧接されたサーバコネクタ４と連通する。これにより、容器１の水は、開封部材２１の筒状部２２及びサーバコネクタ４を介してウォータサーバに供給される。
【００３３】
以上のように構成された開封機構１０は、容器コネクタ１１の筒状のコネクタ部１２の内周面がサーバコネクタ４の挿入ガイド部として機能することから、サーバコネクタ４が不正確に容器コネクタ１１と接続されることや、接続具合のバラツキによる漏水を防止することが出来る。すなわち、開封機構１０は、水が満杯に入った重い容器１を、容易に正しくウォータサーバの装着部に装着することが出来る。
【００３４】
［第二実施形態］
以上の例では、開封部材２１の筒状部２２が完全な筒体であるが、図５に示すように、筒状部２２にスリット３１を設けて、不連続とし、環状の刃部２３に欠刃部３２を設けるようにしても良い。筒状部２２は、スリット３１及び欠刃部３２が設けられた部分において、打抜部１４を完全に打ち抜くことが出来ず、図６に示すように、打ち抜かれた部分と容器１との間に、連結部３３が形成される。これにより、打抜部１４は、打ち抜き後においても連結部３３で容器１と連結されることになり、打抜部１４が容器１内を浮遊することを防止することが出来、例えば、打抜部１４が開封部材２１の連通部２４やサーバコネクタ４の通水路５に詰まることを防止することが出来る。なお、容器１内に開封部材２１を打ち込む量が刃部２３だけの場合には、スリット３１は設けなくても連結部３３を設けることが出来る。
【００３５】
なお、スリット３１及び欠刃部３２は、開封部材２１が容器１内に押し込まれたとき、連通部２４内に水を取り込む取込口としても機能する。この場合には、筒状部２２の先端部、すなわち連通部２４の先端部や中途部が打抜部１４によって閉塞されてしまったときにも、スリット３１及び欠刃部３２から容器１の水を取り込むことが出来る。
【００３６】
更に、開封部材２１は、図７の各図に示すように構成することが出来る。すなわち、図７（Ａ）に示す開封部材２１は、筒状部２２の先端部に刃部２３が形成されておらず、略平坦となっている。このように、開封部材２１は、筒状部２２の先端部に刃部２３が無い場合であっても、例えば、打抜部１４の全体が薄肉に形成されていたり、打抜部１４の周囲が薄肉に形成されているときには、打抜部１４を打ち抜くことが出来る。
【００３７】
図７（Ｂ）は図７（Ａ）の変形例であり、図７（Ｂ）に示す開封部材２１は、筒状部２２に、サーバコネクタ４と連通する連通部２４と連通する開口部３４が一又は複数形成されている。開口部３４は、連通部２４の先端に打ち抜いた打抜部１４が詰まったときにも、連通部２４に容器１の水を取り込むことが出来る。
【００３８】
図７（Ｃ）に示す開封部材２１は、筒状部２２の先端部が斜めにカットされ、先鋭の先端部を応力集中部３５としている。応力集中部３５は、筒状部２２の先端部が先鋭であることから、打抜部１４の部分に突き刺さり易くなる。この場合、筒状部２２には、筒状部２２の厚さ方向に漸次薄くなる刃部２３が必ずしも設けられている必要は無い。
【００３９】
図７（Ｄ）は図７（Ｃ）の変形例であり、図７（Ｄ）に示す開封部材２１は、筒状部２２に、サーバコネクタ４と連通する連通部２４と連通する開口部３４が一又は複数形成されている。開口部３４は、筒状部２２の連通部２４の先端に打ち抜いた打抜部１４が詰まったときにも、連通部２４に容器１の水を取り込むことが出来る。
【００４０】
図７（Ｅ）に示す開封部材２１は、筒状部２２の先端部が山形にカットされ、二つの先鋭の先端部が応力集中部３５，３５となっている。応力集中部３５，３５は、筒状部２２の先端部が先鋭であることから、打抜部１４の部分に突き刺さり易くなる。この場合、筒状部２２には、筒状部２２の厚さ方向に漸次薄くなる刃部２３が必ずしも設けられている必要は無い。
【００４１】
図７（Ｆ）は図７（Ｅ）の変形例であり、図７（Ｆ）に示す開封部材２１は、筒状部２２に、サーバコネクタ４と連通する連通部２４と連通する開口部３４が一又は複数形成されている。開口部３４は、筒状部２２の連通部２４の先端に打ち抜いた打抜部１４が詰まったときにも、連通部２４に容器１の水を取り込むことが出来る。
【００４２】
図７（Ｇ）に示す開封部材２１は、筒状部２２の先端部が波状にカットされ、節部となった多数の先鋭の先端部が応力集中部３５，３５，３５，３５となっている。応力集中部３５，３５，３５，３５は、筒状部２２の先端部が先鋭であることから、打抜部１４の部分に突き刺さり易くなる。この場合、筒状部２２には、筒状部２２の厚さ方向に漸次薄くなる刃部２３が必ずしも設けられている必要は無い。
【００４３】
図７（Ｈ）は図７（Ｇ）の変形例であり、図７（Ｇ）に示す開封部材２１は、筒状部２２に、サーバコネクタ４と連通する連通部２４と連通する開口部３４が一又は複数形成されている。開口部３４は、筒状部２２の連通部２４の先端に打ち抜いた打抜部１４が詰まったときにも、連通部２４に容器１の水を取り込むことが出来る。なお、応力集中部３５，３５は、図７（Ｈ）では四つ設けられているが、その数は、特に限定されるものではない。
【００４４】
［第三実施形態］
図８及び図９に示す開封機構１０は、容器コネクタ１１のコネクタ部１２の内周にストッパ１６が設けられておらず、コネクタ部１２の内径が露出口１７となっている。また、コネクタ部１２の先端外周部には、外側に張り出してストッパ３６が形成されている。この容器コネクタ１１のコネクタ部１２に嵌合される開封部材２１は、筒状部２２の外径がコネクタ部１２の内径と略一致し、コネクタ部１２の内周面と筒状部２２の外周面との間から漏水が発生しないようになっている。また、筒状部２２の基端部には、外側に張り出して突部２５が形成されている。この突部２５は、コネクタ部１２のストッパ３６上に延在する。開封部材２１がサーバコネクタ４によって押圧されると、図９に示すように、開封部材２１は、容器コネクタ１１のコネクタ部１２内を、容器１の打抜部１４の方向に移動し、刃部２３で打抜部１４を打ち抜く。これに連続して、開封部材２１は、突部２５が筒状のコネクタ部のストッパ３６に係止されるまで押し込まれる。これにより、容器１の水は、開封部材２１の筒状部２２及びサーバコネクタ４を介してウォータサーバに供給される。
【００４５】
開封部材２１に図５に示すスリット及び欠刃部を設けたときには、打ち抜き後においても、打抜部１４がスリット及び欠刃部によって打ち抜かれなかった連結部で容器１と連結されることになり、打抜部１４が容器１内を浮遊することを防止することが出来る。
【００４６】
以上のように構成された開封機構１０は、容器コネクタ１１の筒状のコネクタ部１２の内周面がサーバコネクタ４の挿入ガイド部として機能することから、サーバコネクタ４が不正確に容器コネクタ１１と接続されることや、接続具合のバラツキによる漏水を防止することが出来る。すなわち、開封機構１０は、水が満杯に入った重い容器１を、容易に正しくウォータサーバの装着部に装着することが出来る。
【００４７】
［第四実施形態］
以上の例では、容器１のウォータサーバの装着部に装着される部分２に外付け又は後付けされた例を説明したが、図１０及び図１１に示すように、本発明が適用された開封機構４０は、容器１のウォータサーバの装着部に装着される部分２に組み込まれるように構成されていても良い。すなわち、図１０に示すように、開封機構４０は、容器コネクタ４１内に開封部材５１が配設されてなる。
【００４８】
この容器コネクタ４１は、有底筒状のコネクタ部４２の先端部に、容器１のウォータサーバの装着部に装着される部分２に固定するための取付部４３が外側に張り出して形成されている。容器１のウォータサーバの装着部に装着される部分２には、コネクタ部４２の直径とほぼ同じ孔部７が形成されており、コネクタ部４２が嵌合される。そして、取付部４３と容器１とは、接着剤、溶着等によって固定される。これによって、コネクタ部４２の底部は、容器１内に位置する。有底筒状のコネクタ部４２の底部は、開封部材５１によって打ち抜かれる打抜部４４となる。ここでは、打抜部４４の周囲は、薄肉線４４ａが形成されており、開封部材５１で打抜部４４を打ち抜き易くなっている。
【００４９】
以上のような容器コネクタ４１は、その内部に、開封部材５１が挿入される。この開封部材５１は、容器コネクタ４１と別部材となっている。この開封部材５１は、容器コネクタ４１の打抜部４４を打ち抜いたとき容器１の内部に挿入される筒状部５２と、容器１の打抜部４４を打ち抜く刃部５３と、ウォータサーバのサーバコネクタ４と連通する連通部５４とを有している。
【００５０】
筒状部５２は、容器コネクタ４１のコネクタ部４２の内径とほぼ同じ直径を有しており、コネクタ部４２内に圧入され保持されている。筒状部５２の先端部は、筒状部５２の厚さが漸次薄くなるような先鋭状をなし、刃部５３となっている。刃部５３は、容器１の使用前、筒状のコネクタ部４２の内部に圧入保持されることで、開封部材５１が容器コネクタ４１の内部で暴れ、刃部５３が欠損することが防止されている。刃部５３は、開封部材５１がサーバコネクタ４によって押されると、容器１側に移動し、容器コネクタ４１の底部の打抜部４４を打ち抜く。なお、容器コネクタ４１には、薄肉線４４ａが形成され、打ち抜き易くなっているので、刃部５３を設けなくても良い。
【００５１】
筒状部５２は、両端部が開口されており、その内部が容器１の内部とサーバコネクタ４とを連通させる連通部５４となる。また、筒状部５２には、連通部５４と連通する開口部５５が形成されている。また、開封部材５１は、全体が容器コネクタ４１内に挿入される。そして、開封部材５１が完全に挿入された容器コネクタ４１は、コネクタ部４２の開口部及び取付部４３の接着面とは反対側に、タンパーエビデンスフィルム５６が貼着される。
【００５２】
以上のような開封機構４０を組み立てるに当たっては、容器コネクタ４１のコネクタ部４２の先端側から開封部材５１の刃部５３を挿入端として、開封部材５１の全体がコネクタ部４２内に入るまで挿入される。この後、容器コネクタ４１は、コネクタ部４２の開口部及び取付部４３の接着面とは反対側に、タンパーエビデンスフィルム５６が貼着される。そして、開封部材５１が挿入された容器コネクタ４１は、容器１の孔部７にコネクタ部４２が嵌合され、そして、取付部４３と容器１とは、接着剤、溶着等によって固定される。なお、組立手順は、この順に限定されるものではない。
【００５３】
次に、開封機構４０の使用方法について説明すると、先ず、容器コネクタ４１からはタンパーエビデンスフィルム５６が剥がされ、コネクタ部４２が露出され、容器コネクタ４１は、ピン状を成すサーバコネクタ４と位置合わせされ、筒状のコネクタ部４２内に差し込まれる。すなわち、コネクタ部４２は、サーバコネクタ４を差し込むに際しての挿入ガイド部として機能する。ここで、サーバコネクタ４は、内部に通水路５が形成された筒状のものであり、容器コネクタ１１の筒状のコネクタ部４２の内径とほぼ同じ太さとなっている。これにより、サーバコネクタ４は、容器コネクタ４１のコネクタ部４２内に隙間無く圧入され、サーバコネクタ４と開封部材５１の間から漏水が発生することを防止することが出来る。
【００５４】
容器１の自重やユーザの操作によって容器コネクタ４１内の開封部材５１がサーバコネクタ４によって押されると、図１１に示すように、開封部材５１は、容器コネクタ４１のコネクタ部４２内を、容器１の方向に移動し、刃部５３で容器コネクタ４１の底部の打抜部４４を打ち抜く。これにより、容器１の内部と開封部材５１の連通部５４とサーバコネクタ４の通水路５とが連通する。これにより、容器１の水は、開封部材５１の筒状部５２及びサーバコネクタ４を介してウォータサーバに供給される。
【００５５】
開封部材５１に図５に示すスリット及び欠刃部を設けたときには、打ち抜き後においても、打抜部４４がスリット及び欠刃部によって打ち抜かれなかった連結部で容器１と連結されることになり、打抜部４４が容器１内を浮遊することを防止することが出来る。
【００５６】
以上のように構成された開封機構４０は、容器コネクタ４１の筒状のコネクタ部４２の内周面がサーバコネクタ４の挿入ガイド部として機能することから、サーバコネクタ４が不正確に容器コネクタ１１と接続されることや、接続具合のバラツキによる漏水を防止することが出来る。すなわち、開封機構４０は、水が満杯に入った重い容器１を、容易に正しくウォータサーバの装着部に装着することが出来る。
【００５７】
なお、図１２及び図１３に示すように、開封機構４０は、容器コネクタ４１のコネクタ部４２の内周面に段差によって構成されたストッパ４５が形成され、開封部材５１の筒状部５２の刃部５３の反対側に、押し込まれた開封部材２１の突部５７が形成されている。図１２及び図１３に示す開封機構４０では、開封部材５１が、突部５７コネクタ部４２内のストッパ４５に係止されるまで押し込まれる。これにより、開封部材５１の筒状部５２の少なくとも一部は、容器１内に位置し、筒状部５２は、サーバコネクタ４と連通する。これにより、容器１の水は、開封部材５１の筒状部５２及びサーバコネクタ４を介してウォータサーバに供給される。
【００５８】
［第五実施形態］
以上説明した開封機構１０，４０では、容器コネクタ１１，４１と開封部材２１，５１とが別部材である場合を説明したが、容器コネクタと開封部材とがブリッジ部を介して一体的に連結されていても良い。すなわち、図１４及び図１５に示すように、この開封機構６０は、容器１のウォータサーバの装着部に装着される部分２に設けられる容器コネクタ６１に、ブリッジ部６６を介して連結された開封部材７１が設けられてなる。
【００５９】
容器コネクタ６１は、両端が開口された筒状を成すコネクタ部６２の基端部に、容器１のウォータサーバの装着される部分２に固定するための取付部６３が外側に張り出して形成されている。この筒状のコネクタ部６２の内側は、開封部材７１が挿入されると共に、ウォータサーバのニードル状を成すサーバコネクタ４が挿入される空間部となる。勿論、ここでのサーバコネクタ４は、ニードル状である必要はなく、開封部材７１を押し込んで容器１内部とサーバコネクタ４の通水路５と連通させ得る構成であれば良い。
【００６０】
取付部６３は、容器１のウォータサーバの装着される装着される部分２に、接着剤、溶着等によって固定されている。容器１のウォータサーバの装着される部分２のコネクタ部６２内に臨む部分は、開封部材７１によって打ち抜かれる打抜部６４となる。打抜部６４の構成は、上述した打抜部１４，４４と同様な構成であるため詳細は省略する。
【００６１】
コネクタ部６２の先端側外周部には、外側に張り出してフランジ部６５が設けられている。このフランジ部６５の内周部には、容器コネクタ６１と開封部材７１とを連結するブリッジ部６６が形成される。更に、フランジ部６５には、突出して環状の突出部６７が形成されている。環状を成す突出部６７には、タンパーエビデンスフィルム６８が貼着される。
【００６２】
以上のような容器コネクタ６１は、容器１のウォータサーバの装着部に装着される部分２に突出するように取り付けられ、更に、その内部には、開封部材７１が挿入される。この開封部材７１は、上述したブリッジ部６６によって一体的に連結されている。この開封部材７１は、容器１の打抜部６４を打ち抜く筒状部７２と、容器１の打抜部６４を打ち抜く刃部７３と、ウォータサーバのサーバコネクタ４と連通する連通部７４とを有している。
【００６３】
筒状部７２は、容器コネクタ６１のコネクタ部６２の内径より小径であり、ブリッジ部６６によってコネクタ部６２内に保持されている。筒状部７２の先端部は、筒状部７２の厚さが漸次薄くなるような先鋭を成し、刃部７３となっている。刃部７３は、開封部材７１がサーバコネクタ４によって押されると、容器１側に移動し、容器１の打抜部６４を打ち抜く。筒状部７２は、両端部が開口されており、刃部７３と反対側の端部に、容器コネクタ６１のフランジ部６５と連結するブリッジ部６６が形成されている。ブリッジ部６６は、容器１の打抜部６４を打ち抜いたときにも、伸張するだけで切断されない。従って、開封部材７１が容器コネクタ６１と分離してしまうことを防止することが出来る。また、ブリッジ部６６は、環状に形成されており、コネクタ部６２の内周面と筒状部７２との間隙を閉塞する。また、筒状部７２の内部は、容器１の内部とサーバコネクタ４とを連通させる連通部７４となる。また、開封部材７１は、全体が容器コネクタ６１内に挿入される。
【００６４】
ブリッジ部６６によって容器コネクタ６１と開封部材７１とが一体的な開封機構６０の使用方法について説明すると、先ず、容器コネクタ６１からはタンパーエビデンスフィルム６８が剥がされ、コネクタ部６２が露出され、容器コネクタ６１は、ピン状を成すサーバコネクタ４と位置合わせされ、筒状のコネクタ部６２内に差し込まれる。すなわち、コネクタ部６２は、サーバコネクタ４を差し込むに際しての挿入ガイド部として機能する。ここで、サーバコネクタ４は、容器コネクタ１１の筒状のコネクタ部４２の内径とほぼ同じ太さで、内部に通水路５が形成され、先端部が先鋭で、通水路５と連通する取込開口５ａが形成されている。このようなサーバコネクタ４は、少なくとも開封部材７１の筒状部７２に先端部が圧入されることで、容器１の内部と接続される。
【００６５】
容器１の自重やユーザの操作によって容器コネクタ４１内の開封部材７１がサーバコネクタ４によって押されると、図１５に示すように、開封部材７１は、容器コネクタ６１のコネクタ部６２内を、容器１の方向に移動し、刃部７３で容器１の打抜部６４を打ち抜く。これにより、容器１の内部と開封部材７１の連通部７４とサーバコネクタ４の通水路５とが連通する。これにより、容器１の水は、開封部材７１の筒状部７２及びサーバコネクタ４を介してウォータサーバに供給される。
【００６６】
以上のように構成された開封機構６０は、容器コネクタ６１の筒状のコネクタ部６２の内周面がサーバコネクタ４の挿入ガイド部として機能することから、サーバコネクタ４が不正確に容器コネクタ１１と接続されることや、接続具合のバラツキによる漏水を防止することが出来る。すなわち、開封機構４０は、水が満杯に入った重い容器１を、容易に正しくウォータサーバの装着部に装着することが出来る。また、この開封機構６０では、容器コネクタ６１と開封部材７１とが一体的であることから、部品点数の削減を図ることが出来ると共に、製造工程の簡素化を図ることが出来る。
【００６７】
なお、このブリッジ部６６で開封部材７１と容器コネクタ６１とを連結した開封機構６０について、容器コネクタ６１は、図１０−図１３に示すように容器１に組み込まれるようにしても良い。この場合、容器コネクタ６１の底部が容器１内に位置し、この底部が打抜部６４となる。
【００６８】
［第六実施形態］
図１６−図１８に示すように、ここで説明する開封機構８０は、一度ウォータサーバの装着部に容器１が装着され開封された後に、再度、開封部材で栓をすることを可能にしたものである。この開封機構８０は、容器１のウォータサーバの装着部に装着される部分２に設けられる容器コネクタ８１内に、容器コネクタ８１と別部材の開封部材９１が配設されてなる。
【００６９】
容器コネクタ８１は、有底筒状のコネクタ部８２の先端部に、容器１のウォータサーバの装着部に装着される部分２に固定するための取付部８３が外側に張り出して形成されている。容器１のウォータサーバの装着部に装着される部分２には、コネクタ部８２の直径と同じ孔部７が形成されており、コネクタ部８２が嵌合される。そして、取付部８３と容器１とは、接着剤、溶着等によって固定される。これによって、コネクタ部８２の底部は、容器１内に位置する。有底筒状のコネクタ部８２の底部は、開封部材９１によって打ち抜かれる打抜部８４となる。ここでは、打抜部８４の周囲は、薄肉線８４ａが形成されており、開封部材９１で打抜部８４を打ち抜き易くなっている。更に、容器コネクタ８１のコネクタ部８２の内周面に段差によって構成されたストッパ８５が形成されている。コネクタ部８２の開口端近傍には、開封部材９１の封止部９５が係合する係合凹部８６が形成されている。
【００７０】
以上のような容器コネクタ８１は、その内部に、開封部材９１が挿入される。この開封部材９１は、容器コネクタ８１と別部材であり、容器コネクタ８１の打抜部８４を打ち抜いたとき容器１の内部に挿入される筒状部９２と、容器１の打抜部８４を打ち抜く刃部９３と、ウォータサーバのサーバコネクタ４と連通する連通部９４とを有している。
【００７１】
筒状部９２は、容器コネクタ６１のストッパ８５より底部側の内径とほぼ同じ直径を有しており、先端部がストッパ８５より底部側に圧入され保持されている。筒状部９２の先端部は、閉塞され、凹状に窪み、その周囲が先鋭状をなし、刃部９３となっている。刃部９３は、容器１の使用前、筒状のコネクタ部８２のストッパ８５より底部側に圧入保持されることで、開封部材９１が容器コネクタ８１の内部で位置ずれを生じることが防止されている。刃部９３は、開封部材９１がサーバコネクタ４によって押されると、容器１側に移動し、容器コネクタ８１の底部の打抜部８４を打ち抜く。なお、容器コネクタ８１には、薄肉線８４ａが形成され、打ち抜き易くなっているので、刃部９３を設けなくても良い。
【００７２】
筒状部９２の基端部には、外周部に膨出して封止部９５が形成されている。封止部９５は、コネクタ部８２の内周面に圧接される。これにより、封止部９５は、コネクタ部８２の内周面と開封部材９１との隙間から水漏れが発生しないようにしている。なお、封止部９５は、外周面が円弧状を成すように形成され、コネクタ部８２の内周面との摩擦が小さくなっている。また、封止部９５は、内周部にも膨出して形成され、筒状部９２の内側に挿入されるサーバコネクタ４が圧入されるように構成されている。これにより、封止部９５は、サーバコネクタ４の外周面と筒状部９２の内周面との間から水漏れが発生しないようにする。
【００７３】
また、筒状部９２は、側面部に開口部９６が複数形成されており、内部には、容器１の内部とサーバコネクタ４とを連通する連通部９４が形成されている。開口部９６は、容器コネクタ８１の底部の打抜部８４を打ち抜いたとき、容器１の内部に進入し、容器１の内部の水を取り込み、連通部９４に導水し、連通部９４からサーバコネクタ４に水を供給出来るようにする。また、開封部材９１は、全体が容器コネクタ８１内に挿入される。そして、開封部材９１が完全に挿入された容器コネクタ８１は、コネクタ部８２の取付部８３の接着面とは反対側に、タンパーエビデンスフィルム９７が貼着される。
【００７４】
以上のような開封機構８０を組み立てるに当たっては、容器コネクタ８１のコネクタ部８２の先端側から開封部材９１の刃部９３を挿入端として、開封部材９１の全体がコネクタ部８２内に入り、係合凹部８６に封止部９５が係合されるまで挿入される。この後、容器コネクタ８１は、コネクタ部８２の取付部８３の接着面とは反対側に、タンパーエビデンスフィルム９７が貼着される。そして、開封部材９１が挿入された容器コネクタ８１は、容器１の孔部７にコネクタ部８２が嵌合され、そして、取付部８３と容器１とは、接着剤、溶着等によって固定される。なお、組立手順は、この順に限定されるものではない。
【００７５】
次に、開封機構８０の使用方法について説明すると、先ず、容器コネクタ８１からはタンパーエビデンスフィルム９７が剥がされ、コネクタ部８２が露出され、容器コネクタ８１は、ピン状を成すサーバコネクタ４と位置合わせされ、筒状のコネクタ部８２内の筒状部９２に差し込まれる。すなわち、コネクタ部８２及び筒状部９２は、サーバコネクタ４を差し込むに際しての挿入ガイド部として機能する。そして、サーバコネクタ４は、開封部材９１の筒状部９２に隙間無く圧入される。
【００７６】
容器１の自重やユーザの操作によって容器コネクタ８１内の開封部材９１がサーバコネクタ４によって押されると、図１７に示すように、開封部材９１の筒状部９２には、サーバコネクタ４が圧入される。更に、開封部材９１は、コネクタ部８２内を容器１の方向に外側に張り出した封止部９５がストッパ８５に係止されるまで摺動し、刃部５３で容器コネクタ４１の底部の打抜部８４を打ち抜く。これにより、筒状部９２の開口部９６が容器１内に進入し、容器１の内部と開封部材９１の連通部９４とサーバコネクタ４の通水路５とが連通する。これにより、容器１の水は、開封部材９１の筒状部９２及びサーバコネクタ４を介してウォータサーバに供給される。給水時、封止部９５の外周部は、コネクタ部８２の内周面に圧接されることで、コネクタ部８２の内周面との間から水漏れが発生しないようにし、封止部９５の内周部は、サーバコネクタ４の外周面に圧接されることで、水漏れが発生しないようにする。
【００７７】
この開封機構８０は、容器１の使用途中で、装着中の容器１をウォータサーバの装着部を取り外すことが出来る。図１７に示すように、容器１がウォータサーバの装着部に装着されているときには、サーバコネクタ４が開封部材９１の筒状部９２に圧入された状態にある。従って、容器１が装着部より取り外し方向（図１７中矢印Ｄ方向）に移動されると、図１８に示すように、開封部材９１は、サーバコネクタ４に開封部材９１は圧入保持されたままの状態で、封止部９５がコネクタ部８２の開口端近傍に形成された係合凹部８６に係合されるまで同方向に移動される。封止部９５が係合凹部８６に係合すると、筒状部９２の開口部９６は、容器コネクタ８１内において、容器１の外に位置し、筒状部９２の先端部は、容器コネクタ６１のストッパ８５より底部側において圧接される。これにより、容器コネクタ８１の底部に打抜部８４が打ち抜かれて形成された打抜孔９８は、開封部材９１の筒状部９２の先端面によって閉塞される。また、封止部９５の外周部は、係合凹部８６に係合し、係合凹部８６の凹面に圧接される。これにより、開封機構８０は、打抜部８４がない状態であっても、水漏れが発生することを防止することが出来る。
【００７８】
以上のように構成された開封機構８０は、容器コネクタ８１の筒状のコネクタ部８２の内周面がサーバコネクタ４の挿入ガイド部として機能することから、サーバコネクタ４が不正確に容器コネクタ１１と接続されることや、接続具合のバラツキによる漏水を防止することが出来る。すなわち、開封機構８０は、水が満杯に入った重い容器１を、容易に正しくウォータサーバの装着部に装着することが出来る。また、開封機構８０は、使用途中で、容器１をウォータサーバの装着部から水漏れを発生させることなく取り外すことが出来、利便性の向上を実現することが出来る。
【００７９】
なお、容器コネクタ８１の代わりに、図１−図９に示すように、容器コネクタが容器１のウォータサーバの装着部に装着される部分２に外付け又は後付けされる構成のものであっても良い。この場合、打抜部８４は、容器１のウォータサーバの装着部に装着される部分２となる。
【００８０】
［第七実施形態］
以上の例では、容器コネクタ１１，４１，６１，８１の取付部１３，４３，６３，８３を、容器１のウォータサーバの装着部に装着される部分２に、接着剤、溶着等によって固定することで、容器コネクタ１１，４１，６１，８１を容器１に取り付ける例を説明したが、図１９に示すように、開封機構１００は、容器１のウォータサーバの装着部に装着される部分２に設けられた筒状のネック部８に容器コネクタ１０１の取付部１０３が嵌合されることで、容器コネクタ１０１を容器１に取り付けるようにしても良い。更に、開封機構１００は、容器コネクタ１０１内に開封部材１１１が配設されてなる。勿論、容器コネクタ１１，４１，６１，８１等の構成をネック部８を有するような容器に適用しても良いことは言うまでもない。
【００８１】
この容器コネクタ１０１は、図１９及び図２０に示すように、有底筒状のコネクタ部１０２の基端部に、容器１のウォータサーバの装着部に装着される部分２に設けられた筒状のネック部８に固定するための取付部１０３が外側に張り出して形成されている。この取付部１０３は、コネクタ部１０２に一体に設けられ、コネクタ部１０２を覆うようにコネクタ部１０２の外周に設けられた筒状の第一筒状部１０３ａと、第一筒状部１０３ａの先端部に基端側に外折りに設けられた第二筒状部１０３ｂとで構成されている。第一筒状部１０３ａの外径は、ネック部８の内径とほぼ同じ大きさに形成され、第二筒状部１０３ｂの内径は、ネック部８の外径とほぼ同じ大きさに形成されている。更に、第二筒状部１０３ｂの内周面には、ネック部８の外周面の先端部又は先端部近傍に形成されたネック側嵌合部８ａと嵌合する取付部側嵌合部１０３ｃが形成されている。そして、容器コネクタ１０１は、容器コネクタ１０１の取付部１０３の第一筒状部１０３ａと第二筒状部１０３ｂとの間の隙間に容器１のネック部８を差し込み、第一筒状部１０３ａと第二筒状部１０３ｂとでネック部８を狭持した状態で、第二筒状部１０３ｂの取付部側嵌合部１０３ｃをネック部８のネック側嵌合部８ａと嵌合させることで、容器１に固定される。
【００８２】
また、有底筒状のコネクタ部１０２の底部は、開封部材１１１によって打ち抜かれる打抜部１０４となる。ここでは、打抜部１０４の周囲は、薄肉線１０４ａが設けられており、開封部材１１１で打抜部１０４を打ち抜き易くなっている。更に、コネクタ部１０２の底部には、略中央部に容器１側に向けて凹状の凹部１０４ｂが設けられている。この凹部１０４ｂは、開封部材１１１がサーバコネクタ４によって押される際にサーバコネクタ４の先端部に形成された先鋭部１２５が収納される凹部１１５の逃げ部である。これにより、コネクタ部１０２の底部は、凹部１１５に干渉されることなく、開封部材１１１の刃部１１３と当接することが出来る。
【００８３】
更に、コネクタ部１０２の内周面には、段差によって構成されたストッパ１０５が形成されている。このストッパ１０５は、開封部材１１１の突部１１６と係止されることで、開封部材１１１が容器１の打抜部１０４を打ち抜いた際に開封部材１１１が容器１の内部に落ちないように防止している。
【００８４】
更に、コネクタ部１０２の内周面には、内側に張り出すように係止部１０６が形成されている。この係止部１０６は、例えば、コネクタ部１０２の内周面のストッパ１０５よりも基端側に、コネクタ部１０２の内側にリング状に突設されてリブ状に設けられている。そして、係止部１０６は、開封部材１１１の筒状部１１２の外周面に形成された封止部１１８と係止することで、開封部材１１１が先端側からコネクタ部１０２の外部に抜脱しないようにする。
【００８５】
更に、容器コネクタ１０１の取付部１０３の第二筒状部１０３ｂの先端側の先端面には、保護フィルム１０７が貼着されている。この保護フィルム１０７は、例えばタンパーエビデンスフィルム等であり、コネクタ部１０２及び開封部材１１１を塵埃や雑菌等から保護し、衛生状態を維持する。このような保護フィルム１０７は、例えば容器１がサーバコネクタ４に取り付けられる際に、サーバコネクタ４の先鋭部１２５によって切り裂かれる。従って、保護フィルム１０７が剥がされていないことや切り裂かれていないことを確認することで、使用者は、容器１が密封された状態から手が加えられていないことを容易に把握することが出来る。なお、保護フィルム１０７は、先鋭部１２５によって切り裂かれた後に容器コネクタ１０１や開封部材１１１に干渉しないように、配向性を有する材料で形成され、切り裂かれると、配向方向に沿って内側に折り曲げられ、容器コネクタ１０１や開封部材１１１から退避するようにしても良い。更に、保護フィルム１０７は、張力が付加された状態で取り付けられ、切り裂かれると、第一筒状部１０３ａの縁部側に逃げて、容器コネクタ１０１や開封部材１０１から退避するようにしても良い。また、破断し易くする為に、ハーフカット等の易断部を設ける等して構成しても良い。
【００８６】
以上のような容器コネクタ１０１は、図１９に示すように、その内部に、開封部材１１１が挿入されている。この開封部材１１１は、図１９及び図２１に示すように、容器コネクタ１０１と別部材であり、容器コネクタ１０１の打抜部１０４を打ち抜いたときに容器１の内部に挿入される筒状部１１２と、容器１の打抜部１０４を打ち抜く刃部１１３と、サーバコネクタ４と連通する連通部１１４とを有している。
【００８７】
筒状部１１２は、外径が容器コネクタ１０１のコネクタ部１０２のストッパ１０５よりも基端側の内周面の内径とほぼ同じ大きさとなるように形成されており、コネクタ部１０２の軸方向に摺動可能にコネクタ部１０２内に収納されている。更に、筒状部１１２の基端部は、閉塞され、平坦に形成されている。
【００８８】
更に、筒状部１１２の基端面には、図２２に示すように、その縁部に沿うように、容器１側に向けて先鋭状をなす刃部１１３が少なくとも一個形成されている。例えば、刃部１１３は、筒状部１１２の基端面の一部の領域の縁部Ｗ以外に複数個形成されている。これにより、打抜部１０４は、刃部１１３が形成された領域に対応する領域では刃部１１３によって打ち抜かれるが、刃部１１３が形成されていない領域に対応する領域では打ち抜かれることがなく、この打ち抜かれなかった領域がコネクタ部１０２と打抜部４４とを連結する連結部となり、この連結部によって打抜部４４が容器１内を浮遊することを防止することが出来る。なお、刃部１１３は、筒状部１１２の基端面の全ての縁部に亘って複数個形成されるようにしても良い。
【００８９】
このような刃部１１３は、開封部材１１１がサーバコネクタ４によって押されると、容器１側に移動し、容器コネクタ１０１の底部の打抜部１０４を打ち抜く。なお、容器コネクタ１０１には、薄肉線１０４ａが形成され、打ち抜き易くなっているので、刃部１１３を設けなくても良い。
【００９０】
また、図１９及び図２１に示すように、筒状部１１２の基端面には、略中心部に容器１側に向けて凹状の凹部１１５が設けられている。この凹部１１５は、開封部材１１１がサーバコネクタ４によって押される際に、サーバコネクタ４の先端面に形成された先鋭部１２５が収納される逃げ部である。これにより、筒状部１１２の基端面は、サーバコネクタ４の先鋭部１２５に干渉されることなく、サーバコネクタ４の先端面と密接させることが出来る。なお、サーバコネクタ４の先鋭部１２５を凹部１１５に収納することで、サーバコネクタ４と開封部材１１１との位置決めを行うようにしても良い。
【００９１】
また、筒状部１１２の外周面の先端部には、外側に張り出した突部１１６が連続又は断続的に形成されている。この突部１１６は、開封部材１１１がサーバコネクタ４によって押されてコネクタ部１０２内を容器１側に移動したときに、ストッパ１０５に係止されて、開封部材１１１の押し込み量を規制し、開封部材１１１が容器１内に落ちないようにする。なお、突部１１６の外径は、サーバコネクタ４が開封部材１１１を押圧する押圧力を小さくする観点からコネクタ部１０２のストッパ１０５の内径より小さく設けるようにしても良く、コネクタ部１０２の内周面と開封部材１１１の外周面との隙間から水漏れが発生しないように、コネクタ部１０２のストッパ１０５の内径とほぼ同じ大きさ又はやや大きく設けて、コネクタ部１０２のストッパ１０５の内周面に圧接するように設けても良い。
【００９２】
また、筒状部１１２の外周面の基端側には、外側に張り出した封止部１１７，１１８が設けられている。封止部１１７は、例えば、外側にリング状に少なくとも一個突設された凸リング部や、ゴムパッキン及びＯリング等の別体の封止部材等で構成されており、筒状部１１２の外周部の基端部又は基端部近傍に設けられている。封止部１１８は、封止部１１７と同様に、例えば、外側にリング状に少なくとも一個突設された凸リング部や、ゴムパッキン及びＯリング等の別体の封止部材等で構成されており、筒状部１１２の外周部の封止部１１７よりも先端側でコネクタ部１０２の係止部１０６が当接する位置よりも基端側の中途部に形成されている。そして、封止部１１７，１１８は、コネクタ部１０２の係止部１０６よりも基端側の内周面に圧接される。これにより、封止部１１７，１１８は、コネクタ部１０２の内周面と開封部材１１１の外周面との隙間から水漏れが発生しないようにしている。更に、開封部材１１１は、封止部１１７，１１８によってコネクタ部１０２の内周面に圧入保持されることで、コネクタ部１０２の内部で位置ずれを生じることが防止される。
【００９３】
また、筒状部１１２の側面部には、開口部１１９が複数個形成されており、内部には、容器１の内部とサーバコネクタ４とを連通する連通部１１４が形成されている。この開口部１１９は、筒状部１１２の側面部の全周に亘って等間隔に複数個形成されている。ここでは、開口部１１９は、筒状部１１２の側面部の全周に亘って等間隔に二個形成されている。なお、開口部１１９は、一個又は三個以上形成されるようにしても良く、非等間隔に形成されるようにしても良い。更に、開口部１１９は、筒状部１１２の軸方向において、封止部１１７，１１８間に配置されるように形成されている。そして、開口部１１９は、開封部材１１１が容器コネクタ１０１の底部の打抜部１０４を打ち抜いて容器１の内部に進入した際、容器１の内部の水を取り込み、連通部１１４に導水し、連通部１１４からサーバコネクタ４に水を供給する。
【００９４】
以上のような開封機構１００を組み立てるに当たっては、図１９に示すように、容器コネクタ１０１のコネクタ部１０２の先端側から開封部材１１１の刃部１１３を挿入端として、開封部材１１１の全体がコネクタ部１０２内に入るまで挿入される。この後、容器コネクタ１０１は、取付部１０３の第二筒状部１０３ｂの先端面に、保護フィルム１０７が貼着される。そして、開封部材１１１が挿入された容器コネクタ１０１は、容器１のネック部８に取付部１０３が嵌合されて、容器１に固定される。なお、組立手順は、この順に限定されるものではない。
【００９５】
次に、図１９及び図２３に示すように、以上のような開封機構１００を有する容器１が取り付けられるサーバコネクタ４について説明する。
【００９６】
サーバコネクタ４は、内部に通水路５が形成されると共に、側面部に通水路５と連通する取込開口５ａが形成された筒状部１２１と、筒状部１２１の軸方向に摺動可能に設けられ、取込開口５ａを覆うと共に露出させるシャッタ部１２２と、容器１が未装着時にシャッタ部１２２が取込開口５ａを覆うように付勢する付勢部１２３とを有している。
【００９７】
筒状部１２１は、図１９及び図２３に示すように、筒状に形成されており、内部に通水路５が形成されている。更に、筒状部１２１は、ウォータサーバの装着部のベース部（不図示）に立設されて設けられている。
【００９８】
また、筒状部１２１の側面部の先端側には、外側に張り出したフランジ部１２４が形成されている。このフランジ部１２４は、外径が開封部材１１１の筒状部１１２の内径とほぼ同じ大きさとなるように形成されている。そして、フランジ部１２４は、サーバコネクタ４が開封部材１１１の筒状部１１２内に差し込まれた際に、開封部材１１１の筒状部１１２の内周面に圧接される。更に、筒状部１２１の側面部の先端側には、フランジ部１２４よりも基端側に、取込開口５ａが複数個形成されている。例えば、取込開口５ａは、筒状部１２１の側面部に等間隔に二個形成されている。なお、取込開口５ａは、筒状部１２１の側面部に一個又は三個以上形成されるようにしても良く、非等間隔に形成されるようにしても良い。
【００９９】
更に、筒状部１２１の先端面には、先端が先鋭な先鋭部１２５が形成されている。従って、容器１をサーバコネクタ４に取り付ける際に、この先鋭部１２５によって保護フィルム１０７を切り裂くことが出来るので、容器コネクタ１０１から保護フィルム１０７を剥がす工程を省略することが出来る。
【０１００】
シャッタ部１２２は、図１９及び図２３に示すように、筒状に形成されており、筒状部１２１の外周上に筒状部１２１の軸方向に摺動可能に設けられている。更に、シャッタ部１２２は、外径が開封部材１１１の筒状部１１２の内径とほぼ同じ大きさとなるように形成されている。これにより、シャッタ部１２２は、開封部材１１１の筒状部１１２内に隙間無く圧入され、シャッタ部１２２と開封部材１１１の間から漏水が発生することを防止することが出来る。
【０１０１】
また、シャッタ部１２２の外周面の基端部には、外側に張り出した突部１２６が連続又は断続的に形成されている。突部１２６は、シャッタ部１２２が開封部材１１１の筒状部１１２内に挿入されると、開封部材１１１の筒状部１１２の基端面に係止される。そして、シャッタ部１２２は、容器１がサーバコネクタ４の基端側に移動されると、付勢部１２３の付勢力に抗して基端側に移動されて、図２３（Ａ）に示すように、筒状部１２１の取込開口５ａを露出させる。その一方で、シャッタ部１２２は、容器１をサーバコネクタ４から取り外す等、容器１がサーバコネクタ４の先端側に移動されると、付勢部１２３の付勢力によって先端側に移動されて、図２３（Ｂ）に示すように、筒状部１２１の取込開口５ａを覆う。
【０１０２】
また、図１９及び図２３に示すように、シャッタ部１２２の外周面の先端部には、外側に張り出すように封止部１２７が設けられている。この封止部１２７は、例えば、外側にリング状に少なくとも一個突設された凸リング部や、ゴムパッキン及びＯリング等の別体の封止部材等で構成されており、シャッタ部１２２の外周面の先端部に設けられている。そして、封止部１２７は、シャッタ部１２２が開封部材１１１の筒状部１１２内に挿入されると、開封部材１１１の筒状部１１２の内周面に圧接される。これにより、開封部材１１１の筒状部１１２の内周面とシャッタ部１２２の外周面との隙間からの水漏れの発生が防止される。
【０１０３】
付勢部１２３は図１９及び図２３に示すように、例えば圧縮バネ等で構成されており、筒状部１２１の外周上のウォータサーバの装着部のベース部（不図示）とシャッタ部１２２の基端面との間に配設されている。付勢部１２３は、容器１がサーバコネクタ４に未装着の際やサーバコネクタ４から取り外される際に、シャッタ部１２２の先端面が筒状部１２１のフランジ部１２４の基端面と当接して、シャッタ部１２２が筒状部１２１の取込開口５ａを覆うように、シャッタ部１２２を先端部（フランジ部１２４）側に付勢する。
【０１０４】
次に、開封機構１００を有する容器１をサーバコネクタ４に取り付ける取付方法について説明する。
【０１０５】
先ず、開封機構１００は、容器コネクタ１０１から保護フィルム１０７が剥がされ、コネクタ部１０２が露出される。
【０１０６】
次いで、図２４に示すように、開封機構１００は、サーバコネクタ４と位置合わせされ、サーバコネクタ４のシャッタ部１２２が、シャッタ部１２２の突部１２６と開封部材１１１の筒状部１１２の基端面とが係止されるまで、開封部材１１１内に差し込まれる。この際、サーバコネクタ４は、シャッタ部１２２が開封部材１１１内に隙間無く圧入され、サーバコネクタ４と開封部材１１１の間から漏水が発生することを防止することが出来る。
【０１０７】
次いで、図２５に示すように、開封機構１００は、容器１が自重やユーザの操作によってサーバコネクタ４の基端側に移動されると、シャッタ部１２２が付勢部１２３の付勢力に抗して基端側に移動されて、開封部材１１１内で筒状部１２１の取込開口５ａが露出される。
【０１０８】
次いで、図２６に示すように、開封機構１００は、さらに容器１が自重やユーザの操作によってサーバコネクタ４の基端側に移動されると、開封部材１１１が容器コネクタ１０１のコネクタ部１０２内を容器１の方向に移動して、刃部１１３で容器コネクタ１０１の底部の打抜部１０４を打ち抜く。更に、開封機構１００は、筒状部１２１の取込開口５ａがコネクタ部１０２から露出される。これにより、容器１の内部と開封部材１１１の開口部１１９とサーバコネクタ４の筒状部１２１の取込開口５ａと通水路５とが連通する。これにより、容器１の水は、容器コネクタ１０１及びサーバコネクタ４を介してウォータサーバに供給される。
【０１０９】
以上のようにして、開封機構１００を有する容器１をサーバコネクタ４に取り付けることが出来る。
【０１１０】
なお、容器コネクタ１０１から保護フィルム１０７を剥がす工程を省略して、保護フィルム１０７が貼り付けられたままの容器１をサーバコネクタ４に挿し込み、サーバコネクタ４の先鋭部１２５によって、保護フィルム１０７を切り裂いて、容器１をサーバコネクタ４に取り付けるようにしても良い。
【０１１１】
次に、開封機構１００を有する容器１をサーバコネクタ４から取り外す取外方法について説明する。
【０１１２】
先ず、図２７に示すように、開封機構１００は、容器１がユーザの操作によってサーバコネクタ４の先端側に移動されると、コネクタ部１０２が先端側に移動されて、開封部材１１１がコネクタ部１０２内に収納される。
【０１１３】
次いで、図２８に示すように、開封機構１００は、容器１がユーザの操作によってさらにサーバコネクタ４の先端側に移動されると、シャッタ部１２２が付勢部１２３によって先端側に移動されて、シャッタ部１２２によって開封部材１１１内で筒状部１２１の取込開口５ａが覆われる。
【０１１４】
次いで、図２９に示すように、開封機構１００は、容器１がユーザの操作によってさらにサーバコネクタ４の先端側に移動されると、シャッタ部１２２の突部１２６と開封部材１１１の筒状部１１２の基端面との係止状態が解除され、シャッタ部１２２が開封部材１１１内から取り出される。
【０１１５】
以上のようにして、開封機構１００を有する容器１をサーバコネクタ４から取り外すことが出来る。
【０１１６】
以上のように構成された開封機構１００は、容器コネクタ１０１のコネクタ部１０２の内周面内に収納された開封部材１１１がサーバコネクタ４の挿入ガイド部として機能することから、サーバコネクタ４が不正確に容器コネクタ１１と接続されることや、接続具合のバラツキによる漏水を防止することが出来る。すなわち、開封機構１００は、水が満杯に入った重い容器１を、容易に正しくウォータサーバの装着部に装着することが出来る。
【０１１７】
また、開封機構１００を有する容器１が取り付けられるサーバコネクタ４は、容器１の未装着時において、付勢部１２３によってシャッタ部１２２が筒状部１２１の先端側に付勢されて筒状部１２１の取込開口５ａを覆っている。更に、サーバコネクタ４は、容器１が取り付けられる際、シャッタ部１２２が開封部材１１１内に差し込まれた後に、開封部材１１１内で筒状部１２１の取込開口５ａを露出させる動作が行われる。更に、サーバコネクタ４は、容器１が取り外される際、シャッタ部１２２が開封部材１１１内に差し込まれた状態で、開封部材１１１内で筒状部１２１の取込開口５ａを覆う動作が行われる。従って、開封機構１００を有する容器１が取り付けられるサーバコネクタ４は、容器１の未装着時、取り付け時、取り外し時の何れの際にも、筒状部１２１の取込開口５ａに塵埃や雑菌等が付着することを防止することが出来る。よって、開封機構１００は、筒状部１２１の取込開口５ａから塵埃や雑菌等がウォータサーバの内部に侵入することを防止することが出来、衛生状態を維持することが出来る。
【０１１８】
更に、開封機構１００を有する容器１が取り付けられるサーバコネクタ４は、上述したように、容器１の未装着時において、シャッタ部１２２が筒状部１２１の取込開口５ａを覆っているので、筒状部１２１の取込開口５ａ（フランジ部１２４の基端面及びシャッタ部１２２の先端面）に塵埃や雑菌等が付着することを防止することが出来るが、フランジ部１２４の先端面及びシャッタ部１２２の外周面には塵埃や雑菌等が付着する虞がある。
【０１１９】
しかしながら、サーバコネクタ４は、図２６に示すように、容器１の内部の液体がウォータサーバに供給される際、フランジ部１２４は開封部材１１１の筒状部１１２の内周面に圧接されているので、開封部材１１１の筒状部１１２内のフランジ部１２４よりも基端側の空間部は密閉されている。すなわち、サーバコネクタ４は、フランジ部１２４の先端面が容器１の水と接触することを防止している。従って、サーバコネクタ４は、フランジ部１２４の先端面側に塵埃や雑菌等が付着していても、フランジ部１２４の先端面に付着された塵埃や雑菌等が筒状部１２１の取込開口５ａからウォータサーバの内部に侵入することを防止することが出来、衛生状態を維持することが出来る。
【０１２０】
更に、サーバコネクタ４は、シャッタ部１２２の封止部１２７が開封部材１１１の筒状部１１２の内周面に圧接されているので、封止部１２７によって、シャッタ部１２２の外周面が容器１の水と接触することを防止している。従って、サーバコネクタ４は、シャッタ部１２２の外周面に塵埃や雑菌等が付着していても、シャッタ部１２２の外周面に付着された塵埃や雑菌等が筒状部１２１の取込開口５ａからウォータサーバの内部に侵入することを防止することが出来、衛生状態を維持することが出来る。
【０１２１】
なお、サーバコネクタ４は、シャッタ部１２２に封止部１２７を設けることなく、シャッタ部１２２の外周面が開封部材１１１の筒状部１１２の内周面に圧接されるように設けても良い。このような場合であっても、サーバコネクタ４は、開封部材１１１の筒状部１１２の内周面とシャッタ部１２２の外周面との隙間から水漏れが発生しないようにすることが出来る。更に、容器１の水がウォータサーバに供給される際には、シャッタ部１２２の外周面は開封部材１１１の筒状部１１２の内周面に圧接されているので、シャッタ部１２２は先端面以外容器１の水と接触することがなく、シャッタ部１２２の外周面が容器１の水と接触することはない。従って、サーバコネクタ４は、シャッタ部１２２の外周面に塵埃や雑菌等が付着していても、シャッタ部１２２の外周面に付着された塵埃等が筒状部１２１の取込開口５ａからウォータサーバ内に侵入することを防止することが出来、衛生状態を維持することが出来る。
【０１２２】
以上説明した通り、本発明は、様々な仕様を採用し得るが、本発明の主旨を逸脱しない範囲で種々の構成を採ることが出来る。
【符号の説明】
【０１２３】
１  容器、２  容器１のウォータサーバの装着部に装着される部分、３  キャップ、４  サーバコネクタ、５  通水路、５ａ  取込開口、６  フィルム、７  孔部、１０  開封機構、１１  容器コネクタ、１２  コネクタ部、１３  取付部、１４  打抜部、１５  キャップ溝、１６  ストッパ、１７  露出口、２１  開封部材、２２  筒状部、２３  刃部、２４  連通部、２５  突部、３１  スリット、３２  欠刃部、３３  連結部、３４  開口部、３５  応力集中部、３６  ストッパ、４０  開封機構、４１  容器コネクタ、４２  コネクタ部、４３  取付部、４４  打抜部、４４ａ  薄肉線、４５  ストッパ、５１  開封部材、５２  筒状部、５３  刃部、５３  刃部、５４  連通部、５５  開口部、５６  タンパーエビデンスフィルム、５７  突部、６０  開封機構、６１  容器コネクタ、６２  コネクタ部、６３  取付部、６４  打抜部、６５  フランジ部、６６  ブリッジ部、６７  突出部、６８  タンパーエビデンスフィルム、７１  開封部材、７１  開封部材、７２  筒状部、７３  刃部、７４  連通部、８０  開封機構、８１  容器コネクタ、８２  コネクタ部、８３  取付部、８４  打抜部、８４ａ  薄肉線、８５  ストッパ、８６  係合凹部、９１  開封部材、９２  筒状部、９３  刃部、９４  連通部、９５  封止部、９６  開口部、９７  タンパーエビデンスフィルム、９８  打抜孔、１００  開封機構、１０１  容器コネクタ、１０２  コネクタ部、１０３  取付部、１０３ａ  第一筒状部、１０３ｂ  第二筒状部、１０３ｃ  取付部側嵌合部、１０４  打抜部、１０４ａ  薄肉線、１０４ｂ  凹部、１０５  ストッパ、１０６  係止部、１０７  保護フィルム、１１１  開封部材、１１２  筒状部、１１３  刃部、１１４  連通部、１１５  凹部、１１６  突部、１１７  封止部、１１８  封止部、１１９  開口部、１２１  筒状部、１２２  シャッタ部、１２３  付勢部、１２４  フランジ部、１２５  先鋭部、１２６  突部、１２７  封止部
【図１】
2015037960.tif 000003
【図２】
2015037960.tif 000004
【図３】
2015037960.tif 000005
【図４】
2015037960.tif 000006
【図５】
2015037960.tif 000007
【図６】
2015037960.tif 000008
【図７】
2015037960.tif 000009
【図８】
2015037960.tif 000010
【図９】
2015037960.tif 000011
【図１０】
2015037960.tif 000012
【図１１】
2015037960.tif 000013
【図１２】
2015037960.tif 000014
【図１３】
2015037960.tif 000015
【図１４】
2015037960.tif 000016
【図１５】
2015037960.tif 000017
【図１６】
2015037960.tif 000018
【図１７】
2015037960.tif 000019
【図１８】
2015037960.tif 000020
【図１９】
2015037960.tif 000021
【図２０】
2015037960.tif 000022
【図２１】
2015037960.tif 000023
【図２２】
2015037960.tif 000024
【図２３】
2015037960.tif 000025
【図２４】
2015037960.tif 000026
【図２５】
2015037960.tif 000027
【図２６】
2015037960.tif 000028
【図２７】
2015037960.tif 000029
【図２８】
2015037960.tif 000030
【図２９】
2015037960.tif 000031